(57)【要約】【課題】よりソフトで首の動きに追従し易く着用者に窮屈感を与えないながらも、詰め襟本来のキッチリとした外観を損なわない詰め襟構造を提供すること。【解決手段】頂部１１の全周に白色パイピング材２を縫着した擬似カラーを有する詰め襟１として、硬質襟芯を内包することなく基端を襟ぐりＭ１に縫着された襟台３と、該襟台頂部に縫着された白色パイピング材２に上端を縫着され前記襟台３を覆う幅で垂下された表襟４とが二重襟状をなすようにし、前記襟台３の基端と前記表襟４の下端とが左右の襟先部分における縫合部Ｘのみにおいて縫着されるように形成した。【選択図】      図１
2005009020.tif 000002
【特許請求の範囲】
【請求項１】
頂部の全周に白色パイピング材を縫着した擬似カラーを有する詰め襟であって、硬質襟芯を内包することなく基端を襟ぐりに縫着された襟台と、該襟台頂部に縫着された白色パイピング材に上端を縫着され前記襟台を覆う幅で垂下された表襟とが二重襟状をなしており、前記襟台の基端と前記表襟の下端とが左右の襟先部分のみにおいて縫着されてなる詰め襟構造。
【請求項２】
左右の襟先部分が、曲線を描きながら襟ぐりに至る形状をなし、詰め襟の頂部に縫着された白色パイピング材が前記襟先部分にまで延長して縫着されていることを特徴とする請求項１記載の詰め襟構造。
【請求項３】
表襟が、身頃と同じ生地を用いて長手方向二つ折りに縫合形成されてなる請求項１又は２いずれかに記載の詰め襟構造。
【請求項４】
襟台が、内側と表側の両方に通気性生地を用いて縫合形成されてなる請求項１又は２いずれかに記載の詰め襟構造。
【発明の詳細な説明】
【０００１】
【発明の属する技術分野】
本発明は、男子学生服に代表される詰め襟の改良に関するものであり、より詳しくはソフトで着用時の窮屈感がない詰め襟の構造に関する。
【０００２】
【従来の技術】
男子学生服の詰め襟は、旧来は襟の内側に着脱式で白色薄板状の合成樹脂製カラーを装着使用するのが一般的であったが、着用時における襟周りの窮屈感が敬遠されるようになったため、近時では人工皮革や不織布シート等の軟質材料を芯材として表裏を生地で覆いつつ、頂部に白色パイピング材を擬似カラーとして装着したソフトな詰め襟が主流となっている。ところが、襟部分を柔軟に仕立て過ぎると、着用時等に型崩れし易く、襟先の留めホック金具を外した状態にあっては左右両襟先が揃わず、襟先同士が離隔し襟元がだらしなく開いてしまい、外観を損ねるという難点があった。とくに成長期にある生徒は留めホック金具を嵌めたがらないし、ソフトな詰め襟では襟先の保形性に欠けるので、着用時に襟先が綺麗に揃わないといった欠点があったのである。
【０００３】
そこで、前記合成樹脂製カラーを用いないソフトな詰め襟でありながら、留めホック金具を用いることなく襟先の保形性を確保するために、芯材の一部等に形状記憶合金などの異種材料を重ねて用いることが提案されている。例えば、特開２００１−１２３３０９号（特許文献１）では、芯材の両側部分の側面に長手方向に伸びかつ襟の外側に向かって凸となる円弧状に湾曲した形状記憶合金部材を取り付ける襟構造が提案されている。また、特開２００１−２７１２０１号（特許文献２）においても、襟芯における左右襟先付近において予め湾曲させた金属製又は合成樹脂製等の癖付け部材を装着した襟構造が提案されている。
【０００４】
【特許文献１】
特開２００１−１２３３０９号公報（特許請求の範囲、図３）
【特許文献２】
特開２００１−２７１２０１号公報（特許請求の範囲、図７及び図１１）
【０００５】
【発明が解決しようとする課題】
確かに、前記いずれの襟構造においても、合成樹脂製カラーを使用しないソフトな詰め襟において、左右襟先部分に留めホック金具を用いることなく着用時の保形性が確保できるようになったのであるが、詰め襟内に襟芯を用いつつ、更に襟先においては襟芯に重ねて金属製又は硬質合成樹脂製の癖付け部材を用いているために、依然として詰め襟の全周に亘って硬さが残ってしまう。それ故、首を動かすと着用者の喉や首周りに詰め襟上端縁が突き当たり、首の円滑な動きを妨げる結果、窮屈感が残るといった難点があった。
【０００６】
本発明は前記事情に鑑みてなされたものであり、よりソフトで首の動きに追従し易く着用者に窮屈感を与えないながらも、詰め襟本来のキッチリとした外観を損なわない詰め襟構造の提供を課題とするものである。
【０００７】
【課題を解決するための手段】
前記所期の課題解決のため、本発明に係る詰め襟構造では、頂部の全周に白色パイピング材を縫着した擬似カラーを有する詰め襟として、硬質襟芯を内包することなく基端を襟ぐりに縫着された襟台と、該襟台頂部に縫着された白色パイピング材に上端を縫着され前記襟台を覆う幅で垂下された表襟とが二重襟状をなすようにし、前記襟台の基端と前記表襟の下端とが左右の襟先部分のみにおいて縫着されるように形成した。
【０００８】
硬質襟芯とは、不織布や捺染廃材を圧着したものをはじめ人工皮革など従来から襟芯として用いられていた各種素材からなる襟芯を指し、襟芯として用いられてきたものであれば柔軟な素材からなる襟芯も含むものである。本発明に係る詰め襟構造では、こうした従来の襟芯を全く用いることなく襟台を形成したので、着用者の首の動き等により詰め襟が縦方向（詰め襟の立設方向）に押圧されると、表襟が肩や身頃方向に逃げながら、襟台のみが押圧力に追従して変形する。
【０００９】
表襟の下端を自由端としつつ、襟台と表襟を二重襟状としただけであれば、詰め襟に対する押圧力が解消された際においても詰め襟が元の状態に復帰しづらいのであるが、本発明では襟台の基端と前記表襟の下端とが左右の襟先部分のみにおいて縫着されていることが、着用者の首周りで環状をなしているという詰め襟本来の形状と相俟って、元の立設状態へと復帰し易くなっている。
【００１０】
また、本発明に係る詰め襟構造では、左右の襟先部分が曲線を描きながら襟ぐりに至る形状をなすようにし、詰め襟の頂部に縫着された白色パイピング材が前記襟先部分にまで延長するように縫着することで、着用時における襟元ラインを綺麗に見せることができる。
【００１１】
そして、前記表襟は、身頃と同じ生地を用いて長手方向二つ折りに縫合形成することで容易に得られるし、前記襟台については、裏地となる内側と表地となる表側の両方に通気性生地を用いて縫合することで、首周りにおける通気性を高め着用時のムレ等を防止することが可能となる。例えば、内側生地（襟台裏地）として起毛トリコット生地を用いる一方、表側生地（襟台表地）としてメッシュ生地を用いる等、内側と表側とで素材の異なる通気性生地を用いることにしてもよい。
【００１２】
【発明の実施の形態】
以下、図面に基づいて本発明を詳細に説明する。図１は本発明に係る詰め襟構造を男子学生服に適用した例の正面図、図２は同詰め襟構造における襟先部分の一部破断拡大図、図３は図２におけるＡ−Ａ線端面図である。
【００１３】
これら図示された例の詰め襟構造は、頂部１１の全周に亘って白色パイピング材２を縫着した擬似カラーを有する詰め襟１として提供されるものであり、左右の前身頃Ｍの上部に設けられた襟ぐりＭ１に対して縫着される。
【００１４】
図３に示されるように、襟台３は、襟台表地３１と襟台裏地３２を合わせてなるものであるが、従来の詰め襟に見られるような硬質襟芯は内包していない。襟台３の基端３１１は、襟ぐりＭ１において前身頃Ｍと前身頃裏地ｍとともに縫着線３４により縫合されている。他方、襟台３における襟台頂部３１２には白色パイピング材２が縫着線３３により縫合されている。後述する表襟４によって襟台表地３１は外部から見えないように隠されるので、襟台表地３１にメッシュ生地を用いる一方、襟台裏地３２にも通気性があり肌触りがよい起毛トリコット生地を用いることによって、完成された襟台３全体として通気性が確保されることになる。
【００１５】
前記襟台頂部３１２には、白色パイピング材２とともに表襟４が縫着される。先の図３に示されるように、本例の詰め襟１では、前記白色パイピング材２に上端を縫着された表襟４は、長手方向二つ折りに、つまり襟台３を覆う幅に垂下された表襟表地４１と、再び上端側に向けて折り返された表襟折返し４２とが、縫着線４３によって縫合形成されている。
【００１６】
こうして形成された襟台３と表襟４は、図３に示される断面方向からみると二重襟状をなし、かつ、表襟４の下端は自由端として形成されているのであるが、これら襟台３の基端と表襟４の下端とは、左右の襟先部分においてのみ縫着されることになる。すなわち、図２に示された右襟先部分では、襟先部分１３が曲線を描きながら襟ぐりＭ１部分に至る形状をなしており、縫合部Ｘにおいてのみ襟台３の基端と表襟４が縫着されている。襟先部分１３の曲線形状は、着用者の襟元において真っ直ぐに立ち上がるように見える形状としておくと、後ろ襟から襟ぐりＭ１部分に至るまで延長した白色パイピング材２が美しいラインを描くようになる。また、縫合部Ｘの長さは１．５ｃｍ程度もあれば十分であるが、それ以上の長さに設定することは任意である。
【００１７】
【発明の効果】
本発明に係る詰め襟構造によれば、下端縁を自由端とした左右の表襟が襟先部分のみにおいて襟台基端と縫着されているので、襟先部分の保形性に優れている。したがって、着用時においても襟先の合わせ部分がだらしなく開くことがなく綺麗に揃うため、留めホック金具を用いなくても美しい着こなしが得られる。とくに折り目に相当する襟の頂部のラインを、襟先において曲線を描きながら襟ぐりに至るように滑らかに形成しつつ襟元まで白色パイピング材を延長して施した場合には、白色パイピング材がアクセントとなって綺麗である。
【００１８】
また、従来のような襟芯を全く包含しない襟台部分は着用者の首の動きに追従して柔軟に変形する一方、身頃と同じ生地を用いて長手方向二つ折りに縫合形成された表襟は常に平坦面を保ちながら略上下方向にスライド移動するので、しっかりとした詰め襟の印象は損なわれず、外観的にも従来の詰め襟学生服等と何ら変わることがない。
【００１９】
そして、襟芯を包含せず、通気性のある生地のみで形成された襟台は、表襟下端縁との間が開放されていることと相俟って、着用者の首周りのムレを防止し、快適な着心地が得られるのである。
【図面の簡単な説明】
【図１】本発明に係る詰め襟構造を男子学生服に適用した例の正面図である。
【図２】図１の詰め襟構造における襟先部分の一部破断拡大図である。
【図３】図２におけるＡ−Ａ線端面図である。
【符号の説明】
１    詰め襟
２    白色パイピング材
３    襟台
４    表襟
３１１    襟台基端
３１２    襟台頂部
Ｍ    前身頃
Ｍ１  襟ぐり
【図１】
2005009020.tif 000003
【図２】
2005009020.tif 000004
【図３】
2005009020.tif 000005